(57)【要約】【課題】遊技機の仕様に拘わらず顔認証を正確に行う。【解決手段】遊技媒体貸出機１０の筐体正面１４Ａには、遊技者が遊技店の会員であるか否かを認証する顔認証を行うために遊技者の顔を撮像するカメラ３６が配置されている。カメラ３６はカメラケース３８に収容されて制御部側正面板１８Ａの上部に配置され、詳細には、カメラ３６はタッチパネル式モニタ１８０４の上方に設けられている。カメラケース３８の内部でカメラケース正面３８０２にカメラ３６の撮像光学系３６０２が配置され、撮像光学系３６０２の光軸は、遊技機側に傾斜している。カメラケース３８は、互いに筐体正面１４Ａの幅方向に離れた第１の取り付け位置Ｐ１と第２の取り付け位置Ｐ２とに取り付け可能に設けられている。【選択図】図４
2018138209.tif 000002
【特許請求の範囲】
【請求項１】
顔認証のために遊技者の顔を撮像するカメラを有し遊技機に併設される遊技媒体貸出機であって、
前記カメラは、第１の取り付け位置と第２の取り付け位置とに取り付け可能に設けられている、
ことを特徴とする遊技媒体貸出機。
【請求項２】
前記遊技媒体貸出機は遊技者に向いた筐体正面を有する筐体を有し、
前記第１の取り付け位置と前記第２の取り付け位置は、前記筐体正面の幅方向に離れた箇所である、
ことを特徴とする請求項１記載の遊技媒体貸出機。
【請求項３】
前記カメラはカメラケースに収容されて前記筐体正面に配置され、
前記第１の取り付け位置は、前記筐体正面の前方から見て前記カメラケースが前記筐体正面の輪郭内に収納された位置であり、
前記第２の取り付け位置は、前記筐体の幅方向で前記遊技機から離れる方向に前記カメラケースが前記筐体正面から突出した位置である、
ことを特徴とする請求項２記載の遊技媒体貸出機。
【請求項４】
前記カメラケースを前記第１の取り付け位置と前記第２の取り付け位置との間でスライド可能に支持する支持機構が設けられている、
ことを特徴とする請求項３記載の遊技媒体貸出機。
【請求項５】
前記カメラケースは、上方から見て前記遊技機側よりも前記遊技機から離れた側が前記筐体正面から突出した傾斜のカメラケース正面を有し、
前記カメラケースの内部で前記カメラケース正面に前記カメラの撮像光学系が配置され、
前記撮像光学系の光軸は、前記遊技機側に傾斜している、
ことを特徴とする請求項３または４記載の遊技媒体貸出機。
【請求項６】
前記筐体正面に遊技者の遊技状況を表示する遊技状況表示部が設けられ、
前記カメラは前記遊技状況表示部の上方に設けられている、
ことを特徴とする請求項１〜５の何れか１項記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
このような遊技媒体貸出機の筐体正面にカメラを設け、遊技者の顔認証を行うようにした技術が開示されている（特許文献１参照）。
【先行技術文献】
【特許文献】
【０００３】
【特許文献１】特開２０１４−２３７７０号公報
【発明の概要】
【発明が解決しようとする課題】
【０００４】
ところで、遊技機の前後方向において、遊技媒体貸出機の筐体正面と遊技機の正面との位置関係は一定ではなく、遊技機の仕様によって異なっている。
遊技媒体貸出機の筐体正面に対して、遊技機の正面が大きく遊技者側にせり出している場合、遊技機のせり出し部分によって遊技媒体貸出機に設置されているカメラの撮像範囲が部分的に遮られてしまい、この遊技媒体貸出機に設置されているカメラでは遊技者の顔の一部しか撮像できず、顔認証を正確に行う上で不利となることが懸念される。
本発明は、上記事情に鑑みなされたものであり、本発明の目的は、遊技機の仕様に拘わらず顔認証を正確に行う上で有利な遊技媒体貸出機を提供することにある。
【課題を解決するための手段】
【０００５】
上記目的を達成するために、請求項１記載の発明は、顔認証のために遊技者の顔を撮像するカメラを有し遊技機に併設される遊技媒体貸出機であって、前記カメラは、第１の取り付け位置と第２の取り付け位置とに取り付け可能に設けられていることを特徴とする。
請求項２記載の発明は、前記遊技媒体貸出機は遊技者に向いた筐体正面を有する筐体を有し、前記第１の取り付け位置と前記第２の取り付け位置は、前記筐体正面の幅方向に離れた箇所であることを特徴とする。
請求項３記載の発明は、前記カメラはカメラケースに収容されて前記筐体正面に配置され、前記第１の取り付け位置は、前記筐体正面の前方から見て前記カメラケースが前記筐体正面の輪郭内に収納された位置であり、前記第２の取り付け位置は、前記筐体の幅方向で前記遊技機から離れる方向に前記カメラケースが前記筐体正面から突出した位置であることを特徴とする。
請求項４記載の発明は、前記カメラケースを前記第１の取り付け位置と前記第２の取り付け位置との間でスライド可能に支持する支持機構が設けられていることを特徴とする。
請求項５記載の発明は、前記カメラケースは、上方から見て前記遊技機側よりも前記遊技機から離れた側が前記筐体正面から突出した傾斜のカメラケース正面を有し、前記カメラケースの内部で前記カメラケース正面に前記カメラの撮像光学系が配置され、前記撮像光学系の光軸は、前記遊技機側に傾斜していることを特徴とする。
請求項６記載の発明は、前記筐体正面に遊技者の遊技状況を表示する遊技状況表示部が設けられ、前記カメラは前記遊技状況表示部の上方に設けられていることを特徴とする。
【発明の効果】
【０００６】
請求項１記載の発明によれば、顔認証のために遊技者の顔を撮像するカメラが、第１の取り付け位置と第２の取り付け位置とに取り付け可能に設けられているので、遊技機の仕様に拘わらずカメラによって遊技者の顔の大部分を撮像でき、顔認証を正確に行う上で有利となる。
請求項２記載の発明によれば、遊技機によって遮られるカメラの撮像範囲を最小限にする上で有利となる。
請求項３記載の発明によれば、カメラケースが第１の取り付け位置にあるか、第２の取り付け位置にあるかが瞬時に判断でき、カメラケースの取り付け位置を間違うといった作業ミスを防止でき、カメラケースの取り付け作業の効率化を図る上で有利となる。
請求項４記載の発明によれば、カメラケースの取り付け位置の変更が容易となり、カメラケースの取り付け位置の変更作業の効率化を図る上で有利となる。
請求項５記載の発明によれば、カメラケースの大きさを最小限にしつつ遊技機によって遮られるカメラの撮像範囲を最小限にする上で有利となる。
請求項６記載の発明によれば、遊技者の顔が遊技状況表示部の方向を向くことで、遊技者の顔がカメラに対して正対する頻度が多くなり、カメラによって遊技者の顔をより正確に撮像する上で有利となり、顔認証を正確に行う上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】カメラケースが第１の取り付け位置にある状態を示す遊技媒体貸出機の部分拡大斜視図である。
【図３】カメラケースが第２の取り付け位置にある状態を示す遊技媒体貸出機の部分拡大斜視図である。
【図４】（Ａ）はカメラケースが第１の取り付け位置にありカメラの撮像範囲が遊技機の部分で遮られた状態を示す説明図、（Ｂ）はカメラケースが第２の取り付け位置にありカメラの撮像範囲が確保された状態を示す説明図である。
【図５】フレームを示す斜視図である。
【図６】（Ａ）はカメラケースの斜視図、（Ｂ）はガイドブラケットの斜視図、（Ｃ）はガイドブラケットと正面板側スライド固定片とスライド片とカメラケース側スライド固定片とを組み付けた状態を示す斜視図、（Ｄ）は（Ｃ）にカメラケースが組み付けられた状態を示す斜視図である。
【図７】カメラケースが第１の取り付け位置にある状態を示す斜視図である。
【図８】カメラケースが第２の取り付け位置にある状態を示す斜視図である。
【図９】（Ａ）はカメラケースが第１の取り付け位置にある状態を背面側から見た斜視図、（Ｂ）は（Ａ）からフレームを省略した背面図である。
【図１０】（Ａ）はカメラケースが第２の取り付け位置にある状態を背面側から見た斜視図、（Ｂ）は（Ａ）からフレームを省略した背面図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、筐体正面１４Ａは、複数の正面板で構成されている。
背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
筐体正面１４Ａを構成する複数の正面板は、ビルバリユニット用正面板１６Ａ、制御部側正面板１８Ａ、補給扉３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者を識別する情報又はカード固有の識別情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。本実施の形態では、タッチパネル式モニタ１８０４が、遊技者の遊技状況を表示する遊技状況表示部を構成している。
【００１１】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１２】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１３】
制御部１８の下方には、メダル（円板状の遊技媒体）補給用の開口部３４が設けられ、開口部３４は、補給扉３０で開閉される。
制御部側正面板１８Ａの下方の正面開口部１４１０には、縦長の矩形状を呈する開口部３４が開設されている。開口部３４は、払い出しホッパ２０にメダルを補充する部分である。
【００１４】
図１、図２、図３に示すように、筐体正面１４Ａには、遊技者が遊技店の会員であるか否かを認証する顔認証を行うために遊技者の顔を撮像するカメラ３６が配置されている。
本実施の形態では、カメラ３６はカメラケース３８に収容されて制御部側正面板１８Ａの上部に配置され、詳細には、カメラ３６はタッチパネル式モニタ１８０４の上方に設けられている。
カメラケース３８は、筐体正面１４Ａの幅方向に沿って延在する幅と、上下方向の高さとを有し、カメラケース３８は、上方から見て遊技機側よりも遊技機から離れた側が筐体正面１４Ａから突出した傾斜のカメラケース正面３８０２を有している。
カメラケース３８の内部でカメラケース正面３８０２にカメラ３６の撮像光学系３６０２が配置され、撮像光学系３６０２の光軸は、遊技機側に傾斜している。
カメラケース３８は、カメラ３６による撮像が可能な光透過率を有する材料、例えば合成樹脂材料で形成されている。本実施の形態では、カメラケース３８は、カメラ３６が外部から視認しづらくなるようなスモーク色で構成され、遊技者がカメラ３６の存在を煩わしく感じないように図られている。
【００１５】
カメラケース３８は、互いに筐体正面１４Ａの幅方向に離れた第１の取り付け位置Ｐ１（図２）から第２の取り付け位置Ｐ２（図３）の間を移動可能に構成されている。
図４（Ａ）に示すように、第１の取り付け位置Ｐ１は、筐体正面１４Ａの前方から見てカメラケース３８が筐体正面１４Ａの輪郭内に収納された位置である。
図４（Ｂ）に示すように、第２の取り付け位置Ｐ２は、筐体１２の幅方向で遊技機から離れる方向にカメラケース３８が筐体正面１４Ａから突出した位置である。
【００１６】
本実施の形態では、図７、図８に示すように、カメラケース３８を第１の取り付け位置Ｐ１と第２の取り付け位置Ｐ２との間でスライド可能に支持する支持機構４０が設けられている。
支持機構４０は、図５、図６（Ａ）〜（Ｄ）に示すように、筐体本体１４の内部に収容されるフレーム４２と、フレーム４２に取着されるガイドブラケット４４と、制御部側正面板１８Ａに取着される正面板側スライド固定片４６と、カメラケース３８に取着されるスライド片４７及びカメラケース側スライド固定片４８とを含んで構成されている。
より詳細に説明すると、図５に示すように、フレーム４２において筐体正面１４Ａ（図２参照）の前方に位置するフレーム正面４２０２の上部には、筐体１２の幅方向に延在するケーブル挿通孔４２０４が形成されている。
【００１７】
ガイドブラケット４４は、図９（Ａ）に示すように、ねじ５０Ａ、５０Ｂによりフレーム正面４２０２の上部に取着される。ガイドブラケット４４は、図６（Ｂ）に示すように、フレーム正面４２０２と制御部側正面板１８Ａとの間に配置されるガイドブラケット正面４４０２を有し、ガイドブラケット正面４４０２にはスライドガイド４４０４が形成されている。
正面板側スライド固定片４６は、図９（Ａ）、（Ｂ）に示すように、筐体１２の幅方向に沿った長さを有し、正面板側スライド固定片４６の長手方向の中間部がねじ５０Ｃを介して制御部側正面板１８Ａに取着されている。
図９（Ａ）、（Ｂ）、図１０（Ａ）、（Ｂ）に示すように、正面板側スライド固定片４６の長手方向の両端には、カメラケース３８を第１の取り付け位置Ｐ１に固定する第１ねじ孔４６０２と、第２の取り付け位置Ｐ２に固定する第２ねじ孔４６０４とが形成されている。
【００１８】
カメラケース側スライド固定片４８は、図６（Ｃ）、図９（Ａ）、（Ｂ）に示すように、筐体１２の幅方向に沿った長さを有し、カメラケース側スライド固定片４８の長手方向の中間部がねじ５０Ｄによりスライド片４７に取着される。このスライド片４７は、ねじ５４を介してカメラケース３８の背面に取着される。また、ねじ５４はスライドカラー５２を挿通した状態でスライドカラー５２を支持している。
スライドカラー５２は、ガイドブラケット４４のスライドガイド４４０４に挿通されてスライドする。カメラケース３８の裏面側とスライド片４７とは、スライドカラー５２を介して所定の隙間を形成して固定される。このスライドカラー５２の存在により、ガイドブラケット４４をスライド可能に挟む隙間が形成される。
カメラケース側スライド固定片４８には、取り付けねじ５０Ｅを用いることにより、第１の取り付け位置Ｐ１と第２の取り付け位置Ｐ２とに固定するための、ねじ挿通孔４８０２が開設されている。
より詳細には、図９（Ａ）、（Ｂ）に示すように、カメラケース側スライド固定片４８を横方向に移動させてゆき、ねじ挿通孔４８０２と、正面板側スライド固定片４６の第１ねじ孔４６０２とを合致させた状態で取り付けねじ５０Ｅを挿通させて螺合することで、カメラケース３８は第１の取り付け位置Ｐ１にて固定される。
また、図１０（Ａ）、（Ｂ）に示すように、カメラケース側スライド固定片４８を横方向に移動させてゆき、ねじ挿通孔４８０２と、正面板側スライド固定片４６の第２ねじ孔４６０４とを合致させた状態で、取り付けねじ５０Ｅを挿通させて螺合することで、カメラケース３８は第２の取り付け位置Ｐ２にて固定される。
【００１９】
また、図６（Ａ）、（Ｂ）に示すように、スライド片４７には、前述したようにガイドブラケット４４のスライドガイド４４０４に挿通して、スライドガイド４４０４内を移動する２本のスライドカラー５２（図６（Ｃ）参照）が突設されている。それら２本のスライドカラー５２は、カメラケース３８を第１の取り付け位置Ｐ１から第２の取り付け位置Ｐ２に移動させる際、また、第２の取り付け位置Ｐ２から第１の取り付け位置Ｐ１に移動させる際に、ガイドブラケット４４のスライドガイド４４０４に沿って移動することで、カメラケース３８のスライドを案内するガイド部材として機能する。
なお、支持機構４０は実施の形態の構造に限定されず、従来公知の様々な構造が採用可能である。
【００２０】
カメラ３６を用いた顔認証は例えば以下のような手順でなされる。
カメラ３６は予め定められたタイミングで遊技台の正面に着座した遊技者の顔を撮像し、顔の撮像データを生成する。
顔の撮像データは、カメラ３６から制御部１８および通信線を介して遊技店に設けられたサーバー（不図示）に送信される。
サーバーは、登録された会員の名前や性別などの種々の登録データと会員の顔の撮像データとを関連付けた会員データベースを備えており、サーバーは通信線を介して受信した顔の撮像データと会員データベースとに基いて顔認証を行い、会員であるか否かを判定する。
そして、サーバーは、会員であるか否かに基いて通信線および制御部１８を介して制御部１８に制御信号を送信しタッチパネル式モニタ１８０４に種々の情報を表示させるなどの動作を行う。
このような顔認証を正確に行う上で、遊技者の顔の撮像データはなるべく顔の全域を撮像したものであることが好ましい。
【００２１】
ところで、遊技機の前後方向において、遊技媒体貸出機１０の筐体正面１４Ａと遊技機の正面との位置関係は一定ではなく、遊技機の仕様によって異なっている。
図４（Ａ）に示すように、遊技媒体貸出機１０の筐体正面１４Ａの位置に対して、遊技機６０の正面６０Ａの位置が遊技者Ｍ側に大きくせり出している場合、カメラケース３８が第１の取り付け位置Ｐ１に取り付けられた状態では、遊技機６０の遊技媒体貸出機１０側の側部６０Ｂの存在によってカメラ３６の撮像範囲が部分的に遮られてしまい、カメラ３６では遊技者Ｍの顔の一部しか撮像することができない。したがって、顔認証を正確に行う上で不利となる。図中、破線で示した最も広い領域がカメラ３６の撮像可能な範囲を示し、非ハッチング部分が遊技機６０の側部６０Ｂで遮られて撮像不能な範囲を示し、ハッチング部分が実際に撮像可能な残りの撮像範囲を示す。
このような場合には、図４（Ｂ）に示すように、カメラケース３８を第２の取り付け位置Ｐ２に取り付けることで、カメラ３６の撮像光学系３６０２の光軸が遊技機６０の遊技媒体貸出機１０側の側部６０Ｂから離れる方向に移動する。このようにすると、遊技機６０の遊技媒体貸出機１０側の側部６０Ｂによって遮られるカメラ３６の撮像範囲が減少し、カメラ３６によって実際に撮像可能な撮像範囲が拡大するので、カメラ３６によって遊技者Ｍの顔の大部分を撮像することができる。したがって、顔認証を正確に行う上で有利となる。
【００２２】
以上説明したように本実施の形態によれば、顔認証のために遊技者Ｍの顔を撮像するカメラ３６が、第１の取り付け位置Ｐ１と第２の取り付け位置Ｐ２との範囲内で移動可能に構成されているので、遊技機６０の仕様に拘わらずカメラ３６によって遊技者Ｍの顔の大部分を撮像でき、顔認証を正確に行う上で有利となる。また、カメラ３６が、第１の取り付け位置Ｐ１と第２の取り付け位置Ｐ２とに取り付け可能に構成されているので、カメラ３６の設定位置が変わってしまうことがない。
【００２３】
また、本実施の形態では、第１の取り付け位置Ｐ１と第２の取り付け位置Ｐ２は、筐体正面１４Ａの幅方向に離れた箇所であるので、遊技機６０によって遮られるカメラ３６の撮像範囲を最小限にする上で有利となる。
【００２４】
また、本実施の形態では、カメラ３６はカメラケース３８に収容されて筐体正面１４Ａに配置され、第１の取り付け位置Ｐ１は、筐体正面１４Ａの前方から見てカメラケース３８が筐体正面１４Ａの輪郭内に収納された位置であり、第２の取り付け位置Ｐ２は、筐体１２の幅方向で遊技機６０から離れる方向にカメラケース３８が筐体正面１４Ａから突出した位置である。
したがって、カメラケース３８が第１の取り付け位置Ｐ１にあるか、第２の取り付け位置Ｐ２にあるかが瞬時に判断でき、カメラケース３８の取り付け位置を間違うといった作業ミスを防止でき、カメラケース３８の取り付け作業の効率化を図る上で有利となる。
【００２５】
また、本実施の形態では、カメラケース３８を第１の取り付け位置Ｐ１と第２の取り付け位置Ｐ２との間でスライド可能に支持する支持機構４０が設けられているので、カメラケース３８の取り付け位置の変更が容易となり、カメラケース３８の取り付け位置の変更作業の効率化を図る上で有利となる。
【００２６】
また、本実施の形態では、カメラケース３８は、上方から見て遊技機６０側よりも遊技機６０から離れた側が筐体正面１４Ａから突出した傾斜のカメラケース正面３８０２を有し、カメラケース３８の内部でカメラケース正面３８０２にカメラ３６の撮像光学系３６０２が配置され、撮像光学系３６０２の光軸は、遊技機６０側に傾斜しているので、カメラケース３８の大きさを最小限にしつつ遊技機６０によって遮られるカメラ３６の撮像範囲を最小限にする上で有利となる。
なお、カメラケース正面３８０２を筐体正面１４Ａと平行としてもよいが、その場合は、カメラケース３８の大きさが本実施の形態よりも大きくなり、遊技媒体貸出機１０の意匠性を高める上で不利となるが、本実施の形態のようにすると、カメラケース３８の大きさを抑制できるため、遊技媒体貸出機１０の意匠性を高める上で有利となる。
【００２７】
また、本実施の形態では、筐体正面１４Ａに遊技者Ｍの遊技状況を表示するタッチパネル式モニタ１８０４が設けられ、カメラ３６はタッチパネル式モニタ１８０４の上方に設けられているので、遊技者Ｍの顔はタッチパネル式モニタ１８０４の方向を向く頻度が多くなる。
したがって、遊技者Ｍの顔がタッチパネル式モニタ１８０４の方向を向くことで、遊技者Ｍの顔がカメラ３６に対して正対する頻度が多くなり、カメラ３６によって遊技者Ｍの顔をより正確に撮像する上で有利となり、顔認証を正確に行う上で有利となる。
【００２８】
なお、本実施の形態では、カメラ３６が、第１の取り付け位置Ｐ１と第２の取り付け位置Ｐ２とに取り付け可能に設けられている場合について説明したが、カメラ３６が３箇所以上の異なる位置に取付可能に設けられていても良いことは無論である。
【符号の説明】
【００２９】
１０  遊技媒体貸出装置
１２  筐体
１４Ａ  筐体正面
１８０４  タッチパネル式モニタ（遊技状況表示部）
３６  カメラ
３６０２  撮像光学系
３８  カメラケース
３８０２  カメラケース正面
４０  支持機構
６０  遊技機
Ｐ１  第１の取り付け位置
Ｐ２  第２の取り付け位置
Ｍ  遊技者
【図１】
2018138209.tif 000003
【図２】
2018138209.tif 000004
【図３】
2018138209.tif 000005
【図４】
2018138209.tif 000006
【図５】
2018138209.tif 000007
【図６】
2018138209.tif 000008
【図７】
2018138209.tif 000009
【図８】
2018138209.tif 000010
【図９】
2018138209.tif 000011
【図１０】
2018138209.tif 000012
【手続補正書】
【提出日】平成30年5月10日(2018.5.10)
【手続補正１】
【補正対象書類名】明細書
【補正対象項目名】０００５
【補正方法】変更
【補正の内容】
【０００５】
上記目的を達成するために、本発明は、顔認証のために遊技者の顔を撮像するカメラを有し遊技機に併設される遊技媒体貸出機であって、前記遊技媒体貸出機は遊技者に向いた筐体正面を有する筐体を有し、前記カメラを前記筐体正面の幅方向に離れた第１の取り付け位置と第２の取り付け位置との間でスライド可能に支持する支持機構が設けられていることを特徴とする。
また、本発明は、前記カメラは、前記第１の取り付け位置と前記第２の取り付け位置に固定可能に設けられていることを特徴とする。
また、本発明は、前記カメラはカメラケースに収容されて前記筐体正面に配置され、前記第１の取り付け位置は、前記筐体正面の前方から見て前記カメラケースが前記筐体正面の輪郭内に収納された位置であり、前記第２の取り付け位置は、前記筐体の幅方向で前記遊技機から離れる方向に前記カメラケースが前記筐体正面から突出した位置であることを特徴とする。
また、本発明は、前記カメラケースは、上方から見て前記遊技機側よりも前記遊技機から離れた側が前記筐体正面から突出した傾斜のカメラケース正面を有し、前記カメラケースの内部で前記カメラケース正面に前記カメラの撮像光学系が配置され、前記撮像光学系の光軸は、前記遊技機側に傾斜していることを特徴とする。
また、本発明は、前記筐体正面に遊技者の遊技状況を表示する遊技状況表示部が設けられ、前記カメラは前記遊技状況表示部の上方に設けられていることを特徴とする。
【手続補正２】
【補正対象書類名】明細書
【補正対象項目名】０００６
【補正方法】変更
【補正の内容】
【０００６】
本発明によれば、顔認証のために遊技者の顔を撮像するカメラが、第１の取り付け位置と第２の取り付け位置とに取り付け可能に設けられているので、遊技機の仕様に拘わらずカメラによって遊技者の顔の大部分を撮像でき、顔認証を正確に行う上で有利となる。
また、本発明によれば、遊技機によって遮られるカメラの撮像範囲を最小限にする上で有利となる。
また、本発明によれば、カメラの取り付け位置の変更が容易となり、カメラの取り付け位置の変更作業の効率化を図る上で有利となる。
また、本発明によれば、カメラケースが第１の取り付け位置にあるか、第２の取り付け位置にあるかが瞬時に判断でき、カメラケースの取り付け位置を間違うといった作業ミスを防止でき、カメラケースの取り付け作業の効率化を図る上で有利となる。
また、本発明によれば、カメラケースの大きさを最小限にしつつ遊技機によって遮られるカメラの撮像範囲を最小限にする上で有利となる。
また、本発明によれば、遊技者の顔が遊技状況表示部の方向を向くことで、遊技者の顔がカメラに対して正対する頻度が多くなり、カメラによって遊技者の顔をより正確に撮像する上で有利となり、顔認証を正確に行う上で有利となる。
【手続補正３】
【補正対象書類名】特許請求の範囲
【補正対象項目名】全文
【補正方法】変更
【補正の内容】
【特許請求の範囲】
【請求項１】
顔認証のために遊技者の顔を撮像するカメラを有し遊技機に併設される遊技媒体貸出機であって、
前記遊技媒体貸出機は遊技者に向いた筐体正面を有する筐体を有し、
前記カメラを前記筐体正面の幅方向に離れた第１の取り付け位置と第２の取り付け位置との間でスライド可能に支持する支持機構が設けられている、
ことを特徴とする遊技媒体貸出機。
【請求項２】
前記カメラは、前記第１の取り付け位置と前記第２の取り付け位置に固定可能に設けられている、
ことを特徴とする請求項１記載の遊技媒体貸出機。
【請求項３】
前記カメラはカメラケースに収容されて前記筐体正面に配置され、
前記第１の取り付け位置は、前記筐体正面の前方から見て前記カメラケースが前記筐体正面の輪郭内に収納された位置であり、
前記第２の取り付け位置は、前記筐体の幅方向で前記遊技機から離れる方向に前記カメラケースが前記筐体正面から突出した位置である、
ことを特徴とする請求項１又は２記載の遊技媒体貸出機。
【請求項４】
前記カメラケースは、上方から見て前記遊技機側よりも前記遊技機から離れた側が前記筐体正面から突出した傾斜のカメラケース正面を有し、
前記カメラケースの内部で前記カメラケース正面に前記カメラの撮像光学系が配置され、
前記撮像光学系の光軸は、前記遊技機側に傾斜している、
ことを特徴とする請求項３記載の遊技媒体貸出機。
【請求項５】
前記筐体正面に遊技者の遊技状況を表示する遊技状況表示部が設けられ、
前記カメラは前記遊技状況表示部の上方に設けられている、
ことを特徴とする請求項１〜４の何れか１項記載の遊技媒体貸出機。